(57)【要約】【課題】脱ぎ履きが容易であり、自然な歩行が可能な履物を提供する。【解決手段】履物１０は底壁と側壁で囲まれた空間１６に上方から靴２２を挿入することで履くことができる弾性構造の履物である。側壁の上部には空間１６に張り出す一対の係合部２６が備えられている。履物１０を履くときには靴２２を空間１６に押し込めば、履物１０が弾性変形することにより一対の係合部２６の間の空間が広がり、靴２２を空間１６に挿入することができ、脱ぐときには履物１０を押さえた状態で靴２２を抜き取るだけである。靴２２が挿入されると履物１０が元の形状に復元し、一対の係合部２６が靴２２の甲２４の両側に係合するため、履物１０は歩行中に靴２２から脱げ落ちることはない。【選択図】図２
2012005815.tif 000002
【特許請求の範囲】
【請求項１】
底面と側面で囲まれた空間に上方から靴を挿入することで履くことができる弾性構造の履物であって、
前記側面に、前記空間に挿入された靴の甲のみと係合する一対の係合部を備え、
前記一対の係合部間の距離が、その上方における前記側面間の距離より小さく、かつその下方における前記底面の幅より小さいことを特徴とする、履物。
【請求項２】
前記一対の係合部の上方における前記側面間の距離が、前記一対の係合部から離れるに従って漸増していることを特徴とする、請求項１に記載の履物。
【請求項３】
前記一対の係合部の下方における前記側面間の距離が、前記一対の係合部から離れるに従って漸増していることを特徴とする、請求項１または２に記載の履物。
【発明の詳細な説明】
【技術分野】
【０００１】
本発明は履物に関し、特に靴を履いたまま履くことができる履物に関する。
【背景技術】
【０００２】
外出時、靴を履いた後に忘れ物や用事などを思い出して、再び家に上がらなければならないような状況に遭遇することは意外に多いものである。このようなとき脱ぎ履きに手間がかかる靴であれば、一度脱いで再び履くことの煩雑さと時間の浪費を考えれば、靴を履いたまま家に上がってしまうことも多いようである。
しかし、靴を履いたまま家に上がれば特に硬いヒールなどで床や畳に傷を付けてしまいかねない。そのため、一点に圧力が集中しないようにできるだけ体重移動を抑えようと不自然な姿勢になりがちである。これでは移動に時間がかかるばかりでなく、階段や段差のあるところでは非常に危険でさえある。
このような状況を想定し、靴を履いたままで履くことができる履物はこれまでにもいくつか提案されており、中には手を使わずに脱ぎ履きができるように工夫されたスリッパも存在する（特許文献１参照）。
【先行技術文献】
【特許文献】
【０００３】
【特許文献１】特開２００７−２８９３９８号公報
【発明の概要】
【発明が解決しようとする課題】
【０００４】
一般にスリッパは爪先から滑り込ませるようにして履くため、靴と一緒に動いてしまわないように気を遣いながら履かなければならず、急を要するときなどには必ずしも利便性が高いものではない。またスリッパは歩行中に爪先の方にずれやすいため、歩行中にヒールの部分がはみ出したり、最悪の場合には脱げ落ちたりすることもある。これを防止しようとすればスリッパを履いていることを意識ながら慎重に歩かなければならず、結果として不自然で緩慢な歩行とならざるを得ない。しかしこれでは忘れ物などを取りに急いでいるようなときには全く用をなさない。
本発明は、脱ぎ履きが容易であり、自然な歩行が可能な履物を提供することを目的とする。
【課題を解決するための手段】
【０００５】
本発明の第１の態様は、底面と側面で囲まれた空間に上方から靴を挿入することで履くことができる弾性構造の履物であって、前記側面に、前記空間に挿入された靴の甲のみと係合する一対の係合部を備え、前記一対の係合部間の距離が、その上方における前記側面間の距離より小さく、かつその下方における前記底面の幅より小さいことを特徴とする、履物である。
靴の甲とは、爪先と足首の間であって靴底以外の部分をいう。また側面とは、履物の内側の空間に面した部分であって靴底が接する底面以外の部分をいう。一対の係合部は、履物を履くときには空間に挿入しようとする靴底に当たる部分であり、ここに加えられた力によって履物は弾性変形し、一対の係合部の間に靴が挿入できる空間が形成される。靴が挿入されると履物は元の形状に復元し、一対の係合部が靴の甲に両側から係合し、履物が脱げ落ちないように靴に係止させる。
履物は全体として弾性を有する構造であり、これを実現するためには弾性素材で形成してもよく、もしくは素材自体は弾性を有していなくても弾性構造とすることもできる。履物を履くときには容易に変形し、履いた後はすぐに元の形状に復元する程度の剛性があることが望ましい。例えば全体を発泡樹脂で一体成型すれば軽量であり、コスト的にも有利である。
【０００６】
本発明の第２の態様は、前記第１の態様において、前記一対の係合部の上方における前記側面間の距離が、前記一対の係合部から離れるに従って漸増していることを特徴とする、履物である。
一対の係合部の上方であって、側面間の距離が一対の係合部から離れるに従って漸増している部分は、履物を履くときに靴の挿入位置を案内するガイドの機能を有するとともに、靴の甲の靴底から鉛直方向に付加される力を水平方向に分力し、履物を幅方向に撓ませて一対の係合部の間の空間を押し広げる機能を有し、履物を履きやすくする。
【０００７】
本発明の第３の態様は、前記第１または第２の態様において、前記一対の係合部の下方における前記側面間の距離が、前記一対の係合部から離れるに従って漸増していることを特徴とする、履物である。
一対の係合部の下方であって、側面間の距離が一対の係合部から離れるに従って漸増している部分は、空間に挿入された靴の甲を両側から覆い、履物を脱げ落ちにくくするとともに、履物のずれを抑制し、歩行を容易にする機能を有する。
【発明の効果】
【０００８】
本発明の履物は、脱ぎ履きが容易であり、また安全で安定した歩行が実現できるので、従前のこの種の履物に比べ、脱ぎ履き要する時間と歩行に要する時間を短縮することができる。
【図面の簡単な説明】
【０００９】
【図１】本発明の実施の形態の履物の斜視図
【図２】本発明の実施の形態の履物を履いたときの状態を示す斜視図
【図３】本発明の実施の形態の履物の平面図
【図４】図３の４−４線における端面図
【図５】図３の４−４線における端面図
【図６】図３の６−６線における端面図
【図７】図３の７−７線における端面図
【図８】本発明の実施の形態の履物を履いたときの後ろ足の状態を示す斜視図
【図９】本発明の実施の形態の履物を履いたときの前足の状態を示す斜視図
【発明を実施するための形態】
【００１０】
本発明の履物の実施の形態について、添付の図面を参照して説明する。
図１の履物１０は靴を履いた状態で履くことができる履物である。履物１０は底壁１２と側壁１４を備えている。底壁１２は一般的な靴の靴底の形に倣った形状である。底壁１２と側壁１４によって囲まれた空間１６は上方が開放されており、この空間１６に上方から靴を挿入することで履物１０を履くことができる。履物１０を脱ぐときには、履物１０を押さえ、靴を持ち上げるように空間１６から抜くだけである。
【００１１】
側壁１４の空間１６に面する部分（側面２０）は、底壁１２の空間１６に面する部分（底面１８）と連続し、底面１８の外周曲線に倣った滑らかな曲面で構成されているが、一部に空間１６側に張り出した部分を備えている。この張り出した部分は、図２に示すように、履物１０に挿入した靴２２の甲２４の部分に両側から係合し、履物１０が脱落しないように靴２２に固定する機能を有する左右一対の係合部２６である。
【００１２】
次に図３乃至図６を参照して履物１０の各部の構造とその機能について説明する。
図４は一対の係合部２６を含む部分の横断端面を示している。この部分は靴２２の甲２４と接する部分である。なお図４乃至図７では機能説明の便宜上、靴２２を破線で示している。側壁１４は上へ行くに従って（底面１８から離れるに従って）幅が漸増する。側面２０は、底面１８から一対の係合部２６までは上へ行くに従って内側（空間１６側）に傾斜し、対向する側面２０の距離が漸減する。一対の係合部２６の部分ではその距離は靴２２の甲２４の幅より小さい。一対の係合部２６より上の部分では上へ行くに従って外側に傾斜し、対向する側面２０の距離が漸増する。この距離が最も大きいのは側面２０の最上部であり、靴２２の甲２４の幅より大きい。このような側面２０の形状は、次に説明する靴２２の挿入を容易にする機能と、履物１０の脱落を防止する機能を生み出している。
【００１３】
履物１０を履くときには空間１６に上方から靴２２を挿入する。このとき靴２２の甲２４の裏側が一対の係合部２６より上の側面２０に当たる。靴２２からこの部分に鉛直方向に加えられる力は側面２０の傾斜によって水平方向に分力される。この分力された水平方向の力によって側壁１４は外側に撓み、一対の係合部２６の間の空間１６の幅が甲２４の幅に合わせて広がり、靴２２を容易に挿入できるようになる。靴２２の挿入後は、側壁１４は元の形状に復元し、一対の係合部２６の間の幅も狭まって甲２４の左右両側に係合し、履物１０が脱げ落ちるのを防止する。
【００１４】
図５は図４に示した側面２０の変形例を示している。図４では底面１８から一対の係合部２６の近傍までは両側面２０間の距離は上に行くに従って緩やかに漸減し、一対の係合部２６の近傍では大きく減少するが、図５に示す変形例ではその変化は一定である。すなわち変形例では底面１８と一対の係合部２６の間の側面２０はハ字型を描いている。何れにせよ、一対の係合部２６間の距離が、その上方における両側面２０間の距離より小さく、かつその下方における底面１８の幅より小さいものであれば、前述した靴２２の挿入を容易にする機能と、履物１０の脱落を防止する機能を生み出すことができる。
【００１５】
図６は履物１０の踵の部分の横断端面を２通りの形態で示している。一つは図６ａに示すように底壁１２が底面１８の中央が低い凹形状であり、底面１８の両端はそのまま側面２０に滑らかに連続し、全体としてＵ字型となっている。踵部分は歩行中に靴２２のヒール２８が当たったり離れたりする部分であるが、歩き方の癖などによってはヒール２８が離れたときに履物１０がずれてしまい、次にヒール２８が当たる場所が変わることがある。このようなヒール２８と履物１０の位置ずれを放置しておくと歩きにくいだけではなく、特に女性用の細いヒール２８などではバランスを崩すなどして大変に危険である。履物１０はこの踵部分を横断端面Ｕ字型にすることで、最も高さの低い中央にヒール２８を誘導するという位置補正機能を持たせ、歩行時の安定性、安全性を確保している。
【００１６】
図６ｂは同等の位置補正機能を有する変形例を示している。ここでは空間１６側に突出する一対の片部材３０が対向する側面２０にそれぞれ設けられている。一対の片部材３０の間にはヒール２８が通る程度の隙間が設けられている。一対の片部材３０は弾性を有しており、ヒール２８に当たって変形すると元の形状に復元しようとする。ヒール２８が中央からずれたときには復元力によってヒール２８を押す。このヒール２８を押す力の反作用により履物１０の踵部分が変位し、結果としてヒール２８と履物１０の位置が補正される。
【００１７】
図７は履物１０の縦断端面を示している。底壁１２は前端と後端が緩やかな曲線を描いて上方に跳ね上がり、水平な床面３２とに間にそれぞれ傾斜角αと傾斜角βをなす形状となっている。特に前端では底壁１２と側壁１４の間には明確な境目がなく、緩やかな曲線を描いて連続している。底壁１２のこのような形状により得られる効果を次に説明する。
【００１８】
図８と図９は歩行時の靴と履物の位置関係を示している。図８は後ろ足に関するものである。図８ａに示すように底壁１２の前端に傾斜角αの曲面が設けられていれば、歩行中の体重の移動とともに履物１０は曲面部分の接地点３４を支点に前傾し、踵部分が上昇する。そのためヒール２８と底壁１２の間の距離Ｓ１は歩行を困難にするほど大きなものにはならない。また底壁１２の後端に傾斜角βの曲面が設けられていることで、設けられていない場合に比べて距離Ｓ１はさらに小さくなっている。
【００１９】
これに対し、図８ｂに示すように前端に曲面が設けられていなければ、履物４０は前傾姿勢にはならないので、ヒール２８と底壁４２との間の距離Ｓ２は非常に大きなものとなり、歩き難さやヒール２８と履物４０の位置ずれの原因となる。
【００２０】
図９は歩行時に前に出した足が着地したときの状態を示している。このとき最初に着地するのは履物１０の踵部分である。図９ｂに示すように底壁１２の後端に曲面が設けられていなければ、履物５０の着地点５４と、ヒール２８と底壁５２の接点５６の不一致から履物５０には先端を下げようとするモーメントが働き、靴２２から脱げ落ちる可能性がある。これに対し、図９ａに示すように底壁１２の後端に傾斜角βの曲面が設けられていれば、着地点５８と、ヒール２８と底壁１２の接点６０が一致するので履物１０にモーメントは働かない。
【００２１】
図８および図９に示すように、一対の係合部２６は足の位置に関わらず常に靴２２の甲２４の両側に係合しているので、履物１０を履いていることを特に意識した歩き方をしなくても履物１０が歩行中に靴２２から脱げ落ちる心配はない。また位置ずれも起こりにくいので安全で安定した歩行が実現できる。また履物１０を靴２２に固定する一対の係合部２６は間が空いているので脱ぎ履きに手を使う必要はなく、履くときには靴２２を履物１０の上から押し込むだけであり、脱ぐときには片方の足でもう片方の足の履物１０を押さえた状態で靴２２を引き上げるだけである。従って、忘れ物などを家に取りに上がるような場合、特にレディースブーツのような脱ぎ履きに手間のかかる靴であれば、履物１０を使用して家に上がった方が手間も時間もかからない。
【００２２】
これまでの説明により、履物１０は簡単に脱ぎ履きすることができ、また歩行中に脱げ落ちにくく、安全性が高いものであることが理解されるであろう。履物１０は、特に一対の係合部２６を含む側面２０の形状による靴２２の挿入を容易にする機能と脱落を防止する機能、踵部分の形状による位置補正機能、底壁１２の前端および後端の曲面形状による歩行安定機能に特徴があるが、このうち最も重要なのが一対の係合部２６を含む側面２０の形状である。これ以外の機能については選択的に採用することができる。
【００２３】
履物１０は発泡樹脂で一体的に成型されたものであるが、底壁１２、側壁１４、一対の係合部２６をそれぞれのパーツ毎に成型し、最終的に履物１０に組み立てることも可能である。この場合、各パーツに求められる機能に応じて剛性率や摩擦係数などの物理量を最適化することが可能になり、より履きやすく歩きやすい履物１０とすることができる。さらには、色や素材を部分的に変更することも可能になり、履物１０の装飾性を高めることもできる。
【符号の説明】
【００２４】
１０  履物
１２  底壁
１４  側壁
１６  空間
１８  底面
２０  側面
２２  靴
２４  甲
２６  一対の係合部
【図１】
2012005815.tif 000003
【図２】
2012005815.tif 000004
【図３】
2012005815.tif 000005
【図４】
2012005815.tif 000006
【図５】
2012005815.tif 000007
【図６】
2012005815.tif 000008
【図７】
2012005815.tif 000009
【図８】
2012005815.tif 000010
【図９】
2012005815.tif 000011